(57)【要約】【課題】複数の通話装置間の通話内容を発言者毎に記録し、記録した通話内容を通話装置間で相互に共有可能な音声処理装置および音声処理システムを提供する。【解決手段】音声処理装置ＰＣ＿Ａは、通話装置ＰＨ＿Ａから、構内交換機（ＰＢＸ）を介して行われる複数の話者の音声がミックスされた音声データを入力する。声紋認証部２０は、入力した音声データを声紋認証単位毎に順次声紋認証を行い、ＣＰＵ１０は、声紋認証により特定した音声データを、発話者毎にメモリ４０上に整理して格納する。さらに、各発話者毎のデータは、通信インタフェース５０を介してネットワーク上で共有可能とする。【選択図】図２
2005308950.tif 000002
【特許請求の範囲】
【請求項１】
入力音声を発話者毎に分類する音声処理装置であって、
１または複数の声紋データを、前記発話者に対応する発話者データと関連付けて記憶する第１の記憶手段と、
第２の記憶手段と、
所定時間毎に前記入力音声から声紋データを抽出し、当該声紋データを前記第１の記憶手段が記憶する声紋データと照合して、発話者データを特定する声紋認証手段と、
前記所定時間毎の入力音声を、前記声紋認証手段により特定された発話者データ毎に、前記第２の記憶手段に記憶させる制御手段と
を有する音声処理装置。
【請求項２】
回線網に接続された複数の通話装置間の音声を、発話者毎に分類する音声処理システムであって、
各通話装置は、
１または複数の声紋データを、前記発話者に対応する発話者データと関連付けて記憶する第１の記憶手段と、
第２の記憶手段と、
所定時間毎に前記音声から声紋データを抽出し、当該声紋データを前記第１の記憶手段が記憶する声紋データと照合して、発話者データを特定する声紋認証手段と、
前記所定時間毎の音声を、前記声紋認証手段により特定された発話者データ毎に、前記第２の記憶手段に記憶させる制御手段と、を含む音声処理装置
にそれぞれ接続され、
各音声処理装置は、相互に通信によるデータ送受信が可能に構成される
音声処理システム。
【請求項３】
各通話装置は、複数の通話装置間の音声を認識して文字列に変換する音声認識手段を含み、
前記音声認識手段が前記音声を変換した文字列が所定のコマンドである場合に、前記制御手段は、
前記音声に基づいて、前記声紋認証手段が特定した発話者データに対応する音声処理装置に対し、前記所定のコマンドにより予め規定された処理を実行する
請求項２記載の音声処理システム。
【請求項４】
前記所定のコマンドは、前記第２の記憶手段が記憶する発話者データのいずれかであり、
前記予め規定された処理は、第２の記憶手段に記憶された前記発話者データに対応する音声のデータを、前記声紋認証手段が特定した前記音声の発話者に対応する音声処理装置に送信する
請求項３記載の音声処理システム。
【請求項５】
前記所定のコマンドの実行を許可された許可発話者が予め限定され、
音声認識手段が前記音声を変換した文字列が所定のコマンドであって、かつ、前記音声に基づいて声紋認証手段が特定した発話者データが前記許可発話者のいずれかに対応する発話者データである場合に、
前記制御手段は、前記所定のコマンドにより予め規定された処理を実行する
請求項３記載の音声処理システム。
【発明の詳細な説明】
【技術分野】
【０００１】
本発明は、たとえば複数の会議出席者が発する音声によるコマンドを認識して処理する音声処理装置および音声処理システムに関する。
【背景技術】
【０００２】
従来より、会議などのグループワークにおいて、その議事内容（音声データ）を録音機等の記録メディアに記録し、会議後に、当該記録メディアを再生することで発話者を確認しながら、会議内容を記録するための議事録を書くということが行われている。
その際、音声データを記録メディアに記録する方法については、様々な技術が知られているところである。
【発明の開示】
【発明が解決しようとする課題】
【０００３】
ところで、従来のように会議後に発話者を確認して議事内容を記録することは、作業内容の効率の観点、および発話者特定の精度の観点から、適切な方法とは言えない。
すなわち、発言内容をリアルタイムではなく、会議後に議事内容を記録することは、本来会議後に可能であった別の作業をすることができないだけでなく、発話者別に音声データを整理することに時間がかかり煩雑となるため、効率的ではない。
また、記録メディアから再生した音声に基づいて発話者を特定することを、誤りなく行うことは困難な場合がある。
【０００４】
本発明はかかる事情に鑑みてなされたものであり、その目的は、複数の通話装置間の通話内容を発言者毎に記録し、記録した通話内容を通話装置間で相互に共有可能な音声処理装置および音声処理システムを提供することにある。
【課題を解決するための手段】
【０００５】
上記目的を達成するために本発明の第１の観点は、入力音声を発話者毎に分類する音声処理装置であって、１または複数の声紋データを、前記発話者に対応する発話者データと関連付けて記憶する第１の記憶手段と、第２の記憶手段と、所定時間毎に前記入力音声から声紋データを抽出し、当該声紋データを前記第１の記憶手段が記憶する声紋データと照合して、発話者データを特定する声紋認証手段と、前記所定時間毎の入力音声を、前記声紋認証手段により特定された発話者データ毎に、前記第２の記憶手段に記憶させる制御手段とを有する。
【０００６】
上記目的を達成するために本発明の第２の観点は、回線網に接続された複数の通話装置間の音声を、発話者毎に分類する音声処理システムであって、各通話装置は、１または複数の声紋データを、前記発話者に対応する発話者データと関連付けて記憶する第１の記憶手段と、第２の記憶手段と、所定時間毎に前記音声から声紋データを抽出し、当該声紋データを前記第１の記憶手段が記憶する声紋データと照合して、発話者データを特定する声紋認証手段と、前記所定時間毎の音声を、前記声紋認証手段により特定された発話者データ毎に、前記第２の記憶手段に記憶させる制御手段と、を含む音声処理装置にそれぞれ接続され、各音声処理装置は、相互に通信によるデータ送受信が可能に構成される。
【０００７】
好適には、各通話装置は、複数の通話装置間の音声を認識して文字列に変換する音声認識手段を含み、前記音声認識手段が前記音声を変換した文字列が所定のコマンドである場合に、前記制御手段は、前記音声に基づいて、前記声紋認証手段が特定した発話者データに対応する音声処理装置に対し、前記所定のコマンドにより予め規定された処理を実行する。
【０００８】
好適には、前記所定のコマンドは、前記第２の記憶手段が記憶する発話者データのいずれかであり、前記予め規定された処理は、第２の記憶手段に記憶された前記発話者データに対応する音声のデータを、前記声紋認証手段が特定した前記音声の発話者に対応する音声処理装置に送信する。
【０００９】
好適には、前記所定のコマンドの実行を許可された許可発話者が予め限定され、音声認識手段が前記音声を変換した文字列が所定のコマンドであって、かつ、前記音声に基づいて声紋認証手段が特定した発話者データが前記許可発話者のいずれかに対応する発話者データである場合に、前記制御手段は、前記所定のコマンドにより予め規定された処理を実行する。
【００１０】
本発明の第１の観点に係る音声処理装置によれば、声紋認証手段は、所定時間毎に入力音声から声紋データを抽出し、当該声紋データを前記第１の記憶手段が記憶する声紋データと照合して、発話者データを特定し、制御手段は、所定時間毎の入力音声を、前記声紋認証手段により特定された発話者データ毎に、前記第２の記憶手段に記憶させるので、発話者は、特別な操作をすることなく、自動的に精度良く発話者毎に音声データを整理することができる。
【００１１】
本発明の第２の観点に係る音声処理システムによれば、各通話装置に対応する音声処理装置は、声紋認証手段が、所定時間毎に入力音声から声紋データを抽出し、当該声紋データを前記第１の記憶手段が記憶する声紋データと照合して、発話者データを特定し、制御手段が、所定時間毎の入力音声を、前記声紋認証手段により特定された発話者データ毎に、前記第２の記憶手段に記憶させ、他の音声処理装置に対して、または、他の音声処理装置から入力音声を送受信できるため、発話者毎の音声データを発話者間で共有できる。
【発明の効果】
【００１２】
本発明によれば、複数の通話装置間の通話内容を発言者毎に記録し、記録した通話内容を通話装置間で相互に共有可能とするので、発話者は、特別な操作をすることなく、自動的に精度良く発話者毎に音声データを整理できるとともに、発話者毎の音声データを発話者間で共有できる。
【発明を実施するための最良の形態】
【００１３】
第１の実施形態
以下、本発明に係る音声処理装置および音声処理システムの第１の実施形態について述べる。
図１は、本実施形態に係る音声処理システムの適用例について図解する。図１に示す音声処理システムは、複数の通話装置ＰＨ＿Ａ，ＰＨ＿Ｂ，ＰＨ＿Ｃ，ＰＨ＿Ｄ，ＰＨ＿Ｅと、それぞれ各通話装置に接続された音声処理装置ＰＣ＿Ａ，ＰＣ＿Ｂ，ＰＣ＿Ｃ，ＰＣ＿Ｄ，ＰＣ＿Ｅと、を含んで構成される。
【００１４】
各通話装置間は、構内交換機ＰＢＸによるディジタル回線網が構築されている。したがって、三名以上の複数の人々の間で電話会議を行うことも可能である。
また、音声処理装置ＰＣ＿Ａ，ＰＣ＿Ｂ，ＰＣ＿Ｃ，ＰＣ＿Ｄ，ＰＣ＿Ｅは、それぞれ無線または有線による通信網に接続され、相互にデータ通信可能な構成となっている。
【００１５】
図２は、各通話装置および各音声処理装置の構成を、通話装置ＰＨ＿Ａおよび音声処理装置ＰＣ＿Ａを例として、示した図である。
通話装置ＰＨ＿ＡのＲＥＣ＿ＯＵＴ端子と、音声処理装置ＰＣ＿ＡのＬＩＮＥ＿ＩＮ端子とは、相互に接続され、通話装置ＰＨ＿Ａから音声のディジタルデータが音声処理装置ＰＣ＿Ａに送出される。
【００１６】
音声処理装置ＰＣ＿Ａは、本発明の制御手段としてのＣＰＵ１０と、本発明の声紋認証手段としての声紋認証部（ＶＰＡ）２０と、本発明の第１の記憶手段としての声紋レジスタ（ＲＥＧ）３０と、本発明の第２の記憶手段としてのメモリ（ＭＥＭ）４０と、通信インタフェース（Ｉ／Ｆ）５０と、を含んで構成される。
【００１７】
声紋認証部２０は、ＣＰＵ１０から供給される音声データを、所定時間（たとえば、３秒間）毎に声紋認証して、発話者を特定する。声紋認証技術としては、すでに公知の技術を声紋認証部２０に適用させることが可能である。
なお、声紋認証処理の単位時間（たとえば、３秒間）は、声紋認証部２０およびＣＰＵ１０の処理能力が許せば、極力短い時間が本人特定精度の観点から望ましい。
【００１８】
具体的には、先ず、声紋認証部２０は、ＣＰＵ１０から供給された音声データのパワースペクトル（声紋データ）を生成する。
声紋レジスタ３０には、発話者データ（たとえば、発話者のＩＤ）と、発話者の声紋データとが対応付けられて登録され、記録されている。
声紋認証部２０は、生成した声紋データと、声紋レジスタ３０に記録される声紋データとを順に比較し、所定の評価基準に基づいて、双方の声紋データが近似する可能性が所定のレベル以上である場合に、ＣＰＵ１０より供給された音声データを、対応する発話者の音声であると特定する。
【００１９】
一般に、個々人の声紋の相違は、その人の顔形から生ずる口腔・鼻孔の容積・構造の相違や、および身長や性別から生ずる声帯の相違から決定されるため、本人特定の精度が高い。たとえば、通話者が風邪等によって声がかすれたり鼻声になったとしても、声紋の波形の強さや周波数は変化がなく、認証精度が影響を受けることはない。
【００２０】
メモリ４０は、発話者データ（たとえば、発話者のＩＤ等）をファイル名とするデータ記憶領域毎に音声データが整理されて記憶される。たとえば、Ａ氏の発話者ＩＤをＩＤ＿Ａとした場合には、ファイル名をＩＤ＿Ａとするデータ記憶領域に、Ａ氏の音声のデータ（音声データ）を記録する。
通信インタフェース５０は、他の音声処理装置（ＰＣ＿Ｂ，ＰＣ＿Ｃ等）と無線または有線によるデータ通信を行うため、所定の通信標準規格に準拠したインタフェース回路により構成される。
【００２１】
ＣＰＵ１０は、音声処理装置ＰＣ＿Ａの全体の制御を行う。
たとえば、声紋レジスタ３０およびメモリ４０に対するアクセス制御、ＬＩＮＥ＿ＩＮ端子から入力した音声データに対する入力処理、声紋認証部２０の声紋処理に対するタイミング制御、通信インタフェース５０を介した他の音声処理装置との通信制御などである。
特に、ＣＰＵ１０は、声紋認証部２０が声紋処理を行う単位時間（たとえば、３秒間）毎に、ＬＩＮＥ＿ＩＮ端子から入力した音声データを、声紋処理により特定された発話者データに対応するメモリ４０のデータ記憶領域に、順に格納する。
【００２２】
次いで、音声処理装置ＰＣ＿Ａで行われる処理動作について述べる。
以下の説明においては、Ａ氏が通話装置ＰＨ＿Ａを、Ｂ氏が通話装置ＰＨ＿Ｂを、Ｃ氏が通話装置ＰＨ＿Ｃを使用して、３者が電話会議を行っている場面における通話装置ＰＨ＿Ａおよび音声処理装置ＰＣ＿Ａについて、述べる。他の通話装置（ＰＨ＿Ｂ，ＰＨ＿Ｃ）および他の音声処理装置（ＰＣ＿Ｂ，ＰＨ＿Ｃ）で行われる処理も、以下に述べる処理内容と同様である。
【００２３】
Ａ氏、Ｂ氏およびＣ氏の通話中の音声は、図１に示す構内交換機ＰＢＸにより混合されるので、Ａ氏の音声データだけでなく、三者の音声データがすべてミックスされた音声データが、通話装置ＰＨ＿ＡのＲＥＣ＿ＯＵＴ端子から音声処理装置ＰＣ＿ＡのＬＩＮＥ＿ＩＮ端子へ送出される。
音声処理装置ＰＣ＿Ａは、ＬＩＮＥ＿ＩＮ端子から入力した音声データを、声紋認証可能な時間間隔で処理する。
【００２４】
図３（Ａ）〜（Ｇ）は、時間順にＡ氏，Ｂ氏，Ｃ氏が発話したときに、声紋認証部２０がＣＰＵ１０の指示に基づいて、音声データを処理する際の処理動作を示す図である。
まず、図３（Ａ）において、上向きの矢印は声紋認証の開始を意味し、下向きの矢印は声紋認証の終了を意味している。ここでは、声紋認証の開始と終了が３秒間であり、声紋認証部２０は、３秒間単位で声紋認証処理し、声紋データの生成を行う。
【００２５】
図３（Ｂ）は、Ａ氏，Ｂ氏，Ｃ氏の実際の発話のタイミングを示す。図に示すように、発話の開始のタイミングによって、たとえば、発話の最後の部分については、声紋認証単位時間に達しない場合がある。
かかる発話に対して、声紋認証部２０は、図３（Ｃ）に示すように、声紋認証単位である３秒間毎に、取り込んだ発話データに基づいて声紋データを生成して、図示しないバッファに格納する。図において、たとえば、Ａ氏の発話データのうち発話終了直前のデータは、声紋処理に必要な３秒間に満たないため、声紋処理ができない。
【００２６】
次いで、声紋認証部２０は、図３（Ｄ）に示すように、バッファに格納された声紋データに対して、声紋認証単位（３秒間の声紋データ）毎に、声紋レジスタ３０に格納される予め登録された声紋データと比較、照合を行う。すなわち、３秒間毎に生成した声紋データと、声紋レジスタ３０に格納された声紋データとを順次照合して、一致する（または、一致する可能性が所定のレベル以上である）場合に、一致した登録声紋データに対応する発話者データにより発話者を特定する。
なお、図では、Ａ氏の発話データのうち発話終了直前のデータであって、声紋処理ができない部分がＮＡと示されている。
【００２７】
なお、図３（Ｄ）における本人特定のタイミングは、図３（Ｃ）におけるバッファに格納するタイミングと一致しているが、実際には、声紋認証のための処理時間が必要であるため、本人特定のタイミングは、バッファに格納するタイミングより遅れる。
【００２８】
図３（Ｅ）は、声紋認証が終了したＡ氏の発話データを示す図である。
ＣＰＵ１０は、声紋認証部２０が特定した発話者データに対応するメモリ４０上のファイル名のデータ記録領域に、ＬＩＮＥ＿ＩＮ端子より入力した音声データを、声紋認証単位毎に順次格納する。たとえば、Ａ氏の音声をＩＤ＿Ａというファイルに格納する。
その際、図に示すように、Ａ氏の発言の最後の声紋認証不可能な部分（ＮＡ）に相当する音声データについては、音声データの連続性をチェックする等によりＡ氏の音声データと推定して、当該部分の音声データをメモリ４０のファイル（ＩＤ＿Ａ）に格納してもよい。
【００２９】
次いで、発話者が変更し、順にＢ氏およびＣ氏が発話した場合についても、同様である。すなわち、図３（Ｆ）および（Ｇ）に示すように、ＣＰＵ１０は、音声データを、声紋認証単位毎に順次、たとえば、Ｂ氏およびＣ氏の音声データをそれぞれメモリ４０上のＩＤ＿ＢおよびＩＤ＿Ｃというファイル名のデータ格納領域に格納する。
その際、Ａ氏の音声データと同様に、発話の前後に声紋認証不可能な部分（ＮＡ）が存在する。
【００３０】
以上説明したように、本実施形態に係る音声処理装置によれば、構内交換機ＰＢＸを介して行われる複数の話者の音声がミックスされた音声データを入力し、声紋認証部２０が声紋認証単位毎に順次声紋認証を行い、ＣＰＵ１０は、入力した音声データを、声紋認証により特定した発話者データ毎にメモリ４０上に整理して格納するので、以下の効果が得られる。
【００３１】
すなわち、複数人による電話会議などにおいて、発言内容が発言者毎にリアルタイムに整理されてメモリに格納されるので、音声処理装置のユーザは、議事録を作成する際に、会議内容を記録した記録メディアを再生する等して発話者を特定する必要がない。
また、発話者毎に音声データがメモリ上に整理されているので、議事録の編集を極めて容易に行うことができる。
さらに、電話会議等の内容を記録した記録メディアを再生することにより、発話者を特定することは、煩雑であると同時に、聞き取り精度の点から困難な場合があるが、本実施形態に係る音声処理装置によれば、声紋認証により本人特定を行うので、極めて高精度に発話者を特定することができる。
また、本実施形態に係る音声処理システムによれば、各音声処理装置が通信手段を有しているので、各発話者毎の音声データをネットワーク上で共有することが可能である。
【００３２】
第２の実施形態
以下、本発明に係る音声処理装置および音声処理システムの第２の実施形態について述べる。
本実施形態に係る音声処理装置は、外部からの音声によるコマンドを認識して、認識したコマンドに対応して予め規定された処理を行うことを特徴とする。
本実施形態に係る音声処理システムのシステム構成は、図１で示した構成と同様である。また、図４は、図１に示した音声処理システムに構成する本実施形態に係る音声処理装置の構成を、音声処理装置ＰＣ＿Ａを例として示したものである。
【００３３】
図４に示すように、本実施形態に係る音声処理装置ＰＣ＿Ａは、図２に示した第１の実施形態に係る音声処理装置ＰＣ＿Ａと比較して、音声認識部６０を付加した点で相違する。
音声認識部６０は、ＬＩＮＥ＿ＩＮ端子より入力した音声データを、音声認識技術により文字列データに変換して、ＣＰＵ１０に供給する。
【００３４】
音声認識部６０は、音響モデルと認識辞書を含んで構成される
音響モデルには、音声認識に用いる基本的な音の単位、すなわち、子音や母音などの人間の発音の小さい単位（音素）の音響特徴が記述されている。この音響特徴は、多数の話者の音声から求めた音素の統計的な音響特徴情報である。
また、認識辞書には、音声認識させる文字列データが記述されている。
【００３５】
具体的には、音声認識部６０は以下の処理を行う。
（１）音響特徴の算出
入力した音声データをスペクトル分析し、音響的な特徴量（音響特徴）を抽出する。
（２）音声認識結果の出力
入力した音声データの特徴量と音響モデルに記述された特徴量を照合し、認識対象の文字列データの中で入力音声に最も近い文字列データを音声認識結果として出力する。その際、認識辞書に記述されている文字列データの中から、音響特徴が入力音声の音響特徴に最も近い文字列データを検索し、音声認識結果として出力する。
なお、音声認識部６０による音声認識率を向上させるため、認識したい言葉をあらかじめ特定の人の声で登録しておくことで登録者の音声を特に精度良く認識可能としてもよい（特定話者音声認識）。
【００３６】
本実施形態に係るＣＰＵ１０は、登録した複数のコマンド（文字列データ）に対応して実行する処理を行い、ＣＰＵ１０は、音声認識部６０の音声認識処理結果である文字列データが複数のコマンドのうちのいずれかである場合には、そのコマンドに対応する処理を実行する。
たとえば、コマンドとして「Ｂ氏の名前」がＣＰＵ１０に登録されており、そのコマンドに対応する処理内容として、「Ｂ氏の音声データの送信処理」が予め規定されている場合の動作について述べる。
【００３７】
「Ｂ氏の名前」（たとえば、山田）に相当する音声データをＬＩＮＥ＿ＩＮ端子から入力した音声処理装置ＰＣ＿Ａでは、先ず、音声認識部６０による音声認識処理が行われる。その結果、音声認識部６０は、入力した音声データが「Ｂ氏の名前」であることを認識し、文字列データとしての「Ｂ氏の名前」をＣＰＵ１０に送出する。
ＣＰＵ１０では、複数のコマンドとして「Ｂ氏の名前」が登録されており、また、対応する処理内容として、「メモリ４０上のＩＤ＿Ｂ（発話者データ）のファイルを、入力した音声の発話者に送信する」という処理内容が定義されているとする。
【００３８】
その場合、ＣＰＵ１０は、声紋認証部２０に対し、入力した音声データに基づいて声紋認証を行うように指示する。そして、声紋認証部２０は、発話者データがＩＤ＿Ｂであることを特定し、ＣＰＵ１０は、メモリ４０上のＩＤ＿Ｂのファイルにある音声データを、通信インタフェース５０を介して音声処理装置ＰＣ＿Ｂに送信する。
【００３９】
以上説明したように、本実施形態に係る音声処理システムによれば、複数人による電話会議などにおいて記録された発話者毎の音声データを、音声による簡易なコマンドによりネットワークを介して取得することが可能となる。
したがって、遠隔の音声処理装置に格納された音声データを、パーソナルコンピュータ等に対する複雑な操作を行う必要がなく取得できるので、利便性が高い。
【００４０】
第３の実施形態
以下、第３の実施形態に係る音声処理装置および音声処理システムについて述べる。
上述した第２の実施形態に係る音声処理システムによれば、複数の音声処理装置がネットワークに接続され、ネットワークを介して遠隔の音声処理装置に格納される音声データを取得可能とするが、ネットワークに接続された任意の人間がすべて音声データにアクセス可能とすることはセキュリティ上問題となる場合がある。
そこで、本実施形態に係る音声処理システムでは、各音声処理装置は、対応する通話装置を介した音声によるコマンドの処理を、その音声が予め登録された発話者の音声である場合に限り許可して行う。
【００４１】
本実施形態に係る音声処理装置は、図４に示した第２の実施形態に係る音声処理装置と構成は同一であるが、ＣＰＵ１０で行われる処理が異なる。
以下、第２の実施形態の説明と同一の例、すなわち、コマンドとして「Ｂ氏の名前」がＣＰＵ１０に登録されており、そのコマンドに対応する処理内容として、「Ｂ氏の音声データの送信処理」が予め規定されている場合の本実施形態に係る音声処理装置の動作について述べる。
【００４２】
「Ｂ氏の名前」（たとえば、山田）に相当する音声データをＬＩＮＥ＿ＩＮ端子から入力した音声処理装置ＰＣ＿Ａでは、先ず、音声認識部６０による音声認識処理が行われる。その結果、音声認識部６０は、入力した音声データが「Ｂ氏の名前」であることを認識し、文字列データとしての「Ｂ氏の名前」をＣＰＵ１０に送出する。
ＣＰＵ１０では、複数のコマンドとして「Ｂ氏の名前」が登録されており、また、対応する処理内容として、「メモリ４０上のＩＤ＿Ｂ（発話者データ）のファイルを、入力した音声の発話者に送信する」という処理内容が定義されているとする。
【００４３】
その場合、ＣＰＵ１０は、声紋認証部２０に対し、入力した音声データに基づいて声紋認証を行うように指示し、その結果、声紋認証部２０は、発話者データがＩＤ＿Ｂであることを特定する。
ＣＰＵ１０は、予めコマンド処理を許可する発話者データのリストを備えており、声紋認証部２０により特定された発話者データがそのリストに含まれているか確認する。
その結果、声紋認証部２０により特定された発話者データがそのリストに含まれている場合には、第２の実施形態に係る音声処理装置同様、ＣＰＵ１０は、メモリ４０上のＩＤ＿Ｂのファイルにある音声データを、通信インタフェース５０を介して音声処理装置ＰＣ＿Ｂに送信する。
逆に、声紋認証部２０により特定された発話者データがそのリストに含まれていない場合には、ＣＰＵ１０は、何も処理を行わない。
【００４４】
以上説明したように、本実施形態に係る音声処理システムによれば、複数人による電話会議などにおいて記録された発話者毎の音声データを、音声によるコマンドによりネットワークを介して取得する際に、声紋認証により特定された発話者が予め登録されている場合に限り、コマンドに対応する処理を行い、登録されていない場合には、コマンドに対応する処理を行わない。
したがって、ネットワーク上で音声データを共有する際にも、安全性を高めることができる。たとえば、電話会議における各発話者データに対するアクセスを、その会議の議題に関連のある人々に限定することが可能である。
【００４５】
なお、実施形態の内容は上述した内容に拘泥せず、様々な改変が可能である。
たとえば、コマンドの重要度（安全レベル）に応じて、許可する発話者データのリストを可変とするように構成することを容易に行うことができることは言うまでもない。
【図面の簡単な説明】
【００４６】
【図１】本発明に係る音声処理システムの一実施形態の構成である。
【図２】本発明に係る音声処理装置の一実施形態の構成である。
【図３】実施形態に係る音声処理装置の動作を説明するための図である。
【図４】本発明に係る音声処理装置の一実施形態の構成である。
【符号の説明】
【００４７】
１０…ＣＰＵ、２０…声紋認証部、３０…声紋レジスタ、４０…メモリ、５０…通信インタフェース、６０…音声認識部、ＰＢＸ…構内交換機、ＰＨ＿Ａ，ＰＨ＿Ｂ，ＰＨ＿Ｃ，ＰＨ＿Ｄ，ＰＨ＿Ｅ…通話装置、ＰＣ＿Ａ，ＰＣ＿Ｂ，ＰＣ＿Ｃ，ＰＣ＿Ｄ，ＰＣ＿Ｅ…音声処理装置。
【図１】
2005308950.tif 000003
【図２】
2005308950.tif 000004
【図３】
2005308950.tif 000005
【図４】
2005308950.tif 000006